(57)【要約】      （修正有）【課題】すくい面の先端が土砂に埋まっていても梃子を利用した手元のレバーを操作することにより、容易にすくい面を回動させることができる穴掘り作業に適したスコップを提供する。【解決手段】柄４の下端部に柄に直角な軸回りに回動可能に軸着されたすくい部２と、すくい部の表面側に回動可能に軸着された連結桿６と、柄の上端部に設けた第一の把持部９と、第一の把持部の下方に固定した固定部品１０と、該固定部品に連結軸１２を介して軸着されたレバー１１と、該レバーの一端に設けた第二の把持部１３と、該レバー１１に連結桿６の上端を連結軸１４を介して軸着したスコップ１において、第二の把持部１３と連結軸１２の中心までの距離が連結軸１４の中心と連結軸１２の中心までの距離の３倍以上であることを特徴とするスコップ。【選択図】図１
0003154818.tif 000002
【実用新案登録請求の範囲】
【請求項１】
柄４の下端部に該柄に直角な軸回りに回動可能に軸着されたすくい部２と、該すくい部の表側に固定された固定片３と該固定片に回動可能に軸着された連結桿６と、前記柄の上端部に設けた第一の把持部９と、前記第一の把持部の下方に固定した固定部品１０と、該固定部品に連結軸１２を介して軸着されたレバー１１と、該レバーの一端に設けた第二の把持部１３と、該レバー１１に前記連結桿６の上端を連結軸１４を介して軸着したスコップ１において、前記第二の把持部１３の中心から前記連結軸１２の中心までの距離Ａが前記連結軸１４の中心から前記連結軸１２の中心までの距離Ｂの３倍以上であることを特徴とするスコップ。
【請求項２】
請求項１に記載したスコップにおいて、前記レバー１１の一端が前記固定部品１０に軸着されており、前記レバーの他端に第二の把持部１３が設けてあり、前記第二の把持部を前記すくい部側に回動させた時、前記すくい部２が前記柄４の延長方向に回動し、前記レバー１１の一部が前記固定部品１０又は柄部４に設けたストッパー１５に当接することにより回動が停止し、前記レバー１１が前記ストッパー１５に当接した状態において前記固定片３と前記連結桿６の回動軸７の中心と前記回動軸１４の中心とを結んだ直線の延長線２０が、前記回動軸１２の中心を通るか、又は回動軸１２の中心より前記柄４に近い側を通ることを特徴とする請求項１に記載したスコップ。
【請求項３】
請求項２に記載したスコップにおいて、前記第二の把持部１３を前記第一の把持部９側に回動させた時に、前記第二の把持部１３が前記第一の把持部９に当接することにより前記レバー１１の回動が停止し、かつ作業者の片手で同時に前記第一の把持部９と前記第二の把持部１３を掴むことができる位置関係にあることを特徴とする請求項２に記載したスコップ。
【考案の詳細な説明】
【技術分野】
【０００１】
本考案は、すくい部の角度を変えられるスコップに関する。
【背景技術】
【０００２】
通常のスコップは、すくい面が柄の延長線と平行に近い状態で固定されているので、地上にある土などを移動したり浅い穴を掘る作業には適しているが、深い穴を掘る際などにはほぐした土をすくい上げることができず不便である。
【０００３】
上記問題を解決するために、特許文献１では、柄部とすくい部を回動可能に軸支した連結桿を柄部に摺動可能に軸支したスコップが考案されている。
しかし特許文献１に記載されたスコップは、すくい面を柄に対して直角方向に回動させる際に、ハンドルを軸と摺動させながら平行移動させる構造なので、例えばすくい面の先端が土砂に埋まっていると強い力でハンドルを引き上げる必要があり、必ずしも作業性の良いものではなかった。
【０００４】
特許文献２には、柄部とすくい部を回動自在に枢着し、すくい部を柄部と直角方向に回動させる方向に引き線を備え、すくい部が柄部と平行になる方向にゴム又はバネ等の戻し手段を配設する方法が開示されている。
しかし特許文献２に記載されたスコップも、すくい面を柄に対して直角方向に回動させる際に、引き線に繋がったハンドルを軸と平行に引く構造なので、例えばすくい面の先端が土砂に埋まっていると強い力でハンドルを引き上げる必要があり、且つ、引き線と戻し手段は両方とも剛性が低いので、穴掘り作業などの重作業には適していない。
【先行技術文献】
【特許文献】
【０００５】
【特許文献１】実開昭６２−５０２５０号公報
【特許文献２】特開２０００−１９２４９４号公報
【考案の概要】
【考案が解決しようとする課題】
【０００６】
本考案は、すくい面の先端が土砂に埋まっていても梃子を利用した手元のレバーを操作することにより、容易にすくい面を回動させることができ、また、すくい面を通常のスコップのように柄の延長線上に対してほぼ平行にしたとき、自動的にすくい面の回動がロックされ、すくい面の先端で土を突いてもすくい面が柄と直角方向に回動することがない穴掘り作業に適したスコップを提供することにある。
【課題を解決するための手段】
【０００７】
柄４の下端部に該柄に直角な軸回りに回動可能に軸着されたすくい部２と、該すくい部の表面側に固定された固定片３と該固定片に回動可能に軸着された連結桿６と、前記柄の上端部に設けた第一の把持部９と、前記第一の把持部の下部に固定した固定部品１０と、該固定部品に連結軸１２を介して軸着されたレバー１１と、該レバーの一端に設けた第二の把持部１３と、該レバー１１に前記連結桿６の上端を連結軸１４を介して軸着したスコップ１において、前記第二の把持部１３と前記連結軸１２の中心までの距離Ａが前記連結軸１４の中心と前記連結軸１２の中心までの距離Ｂの３倍以上であることを特徴とするスコップである。
【０００８】
上記のスコップにおいて、前記レバー１１の一端が前記固定部品１０に軸着されており、前記レバーの他端が第二の把持部１３になっており、前記第二の把持部を前記すくい部側に回動させた時、前記すくい部２が前記柄部４の延長方向に回動し、前記レバー１１の一部が前記固定部品１０又は柄部４に設けたストッパー１５に当接することにより回動が停止し、前記レバー１１が前記ストッパー１５に当接した状態において前記固定片３と前記連結桿６の回動軸７の中心と前記回動軸１４の中心とを結んだ直線の延長線２０が、前記回動軸１２の中心を通るか、又は回動軸１２の中心より前記柄４に近い側を通ることによりスコップを延ばした状態（すくい部が柄の延長線と平行に近い状態）で突いてもすくい面が回動しないようにした。
【０００９】
さらに前記第二の把持部１３を前記第一の把持部９側に回動させた時に、前記第二の把持部１３が前記第一の把持部９に当接することにより前記レバー１１の回動が停止し、かつ作業者の片手で同時に前記第一の把持部９と前記第二の把持部１３を掴むことができる位置関係にすることにより、すくい部２を曲げた状態（すくい部が柄部に対して直角に近い状態）で第二の把持部１３の位置を保持する機構を付加しなくても作業ができるようにした。
【考案の効果】
【００１０】
第二の把持部１３を操作すると梃子の作用で連結桿６が動き、連結桿に繋がったすくい部２が回動するので、すくい部の先端が少し土に埋まっていても第二の把持部を引き上げることによりすくい部を回動させることができる。
このことにより通常のスコップでは掘ることができない大きさ約３０ｃｍ角ぐらいで深さ１５０ｃｍ程度の小さくて深い穴を掘ることができる。
【００１１】
特に適しているのは遺跡の発掘作業であり、人が入れない狭くて深い穴を掘る際に、すくい部２を延ばした状態で下方に向け、力を加えながら、場合によっては第二の把持部１３を小さく上下し、すくい部の先端部を小さく動かしながら掘ることにより土器等の遺物の微妙な感触を確かめることができる。
また、遺物を見つけた際には、第二の把持部１３を引き上げて、第一の把持部９に近づけることにより、すくい部２が柄４に対して直角近くに折れ曲がるので、土と遺物を同時にすくうことができ、第一の把持部と第二把持部を一緒につかんで垂直に引き上げることにより、遺物をできるだけ壊さないように取り上げることが出来る。
上記の操作を応用することにより、底部に丸みを帯びた遺構を発掘する等の微妙な作業にも利用できる。
【００１２】
穴が深くなった場合に、片手で第一の把持部９のみを持って下方へ突いてもすくい部２が折り曲がらない構造になっているので、作業しやすく、土に打ち込む力が逃げない。
また、第二の把持部１３も比較的上方に設置してあるので、すくい部の先端を土に打ち込んでから第二の把持部を引き上げることができる。
上記の操作により土をほぐしてから、土砂をすくって持ち上げることにより硬い土壌でも穴を掘ることができる。
【図面の簡単な説明】
【００１３】
【図１】本考案によるスコップの斜視図（すくい部を延ばした状態）
【図２】本考案によるスコップの斜視図（すくい部を曲げた状態）
【図３】図１に対応する側面図（部分拡大図）
【考案を実施するための形態】
【００１４】
図１〜図３を用いて本考案を実施するための形態について説明する。
柄４の下端部に柄に直角な軸５にてすくい部２を回動可能に取り付け、該すくい部の表側に一対の固定片３を溶接等により取り付け、該固定片に挟まれかつ回動可能に連結桿６の下端部を軸７にて連結し、前記柄４の上端部には第一の把持部９を設け、前記第一の把持部の下方の柄に固定部品１０を固定し、該固定部品に連結軸１２を介してレバー１１を軸着し、該レバーの一端に設けた第二の把持部１３と、該レバー１１に前記連結桿６の上端を連結軸１４を介して軸着したスコップ１において、前記第二の把持部１３の中心から前記連結軸１２の中心までの距離Ａが前記連結軸１４の中心から前記連結軸１２の中心までの距離Ｂの３倍以上とした。
【００１５】
上記の構成において、連結桿６の中間に長さ調節ボルト８を設け、ボルト８を回転させることによりすくい部２の初期角度を調節できるようにした。尚、長さ調節ボルト８の片方は右ネジ、他方は左ネジになっており、ボルトの少なくとも一方にはロックナット８ａを設け、ロックナットを締め付けることにより使用中に連結桿の長さが変わらないようにした。
また連結桿６の上端部にＬ字形の部分を設けて、この部分をレバー１１と軸着することにより、連結軸１４の中心を連結桿６の中心より柄４側に近づけることにより、柄４と連結桿６の間に手が入る隙間を確保し、柄を握って作業する際に連結桿６が邪魔にならないようにした。
【００１６】
すくい部２の回動軸５の中心からすくい部の先端までの長さＣに対して、回動軸５の中心から回動軸７の中心までの長さＤは、１／４程度が好ましい。
１／４より大きいと、固定片３がすくい部の中央近くに来て邪魔になり、かつ連結桿の必要ストロークが大きくなって好ましくない。
１／４より小さいと、すくい部の先端に作用する力に逆らって連結桿を引き上げる際に、連結桿をより大きな力で引く必要が生じ、固定片３の取付け強度や軸７、１２、１４の摩耗が問題になる。
【００１７】
上記に対し、第二の把持部１３の中心から連結軸１２の中心までの距離Ａを前記連結軸１４の中心から前記連結軸１２の中心までの距離Ｂの３倍以上、好ましくは５倍程度にすることにより、第二の把持部を操作するのに必要な力は、すくい部２の先端部を直接手で回転させるのに必要な力と同程度にすることができる。
【００１８】
尚、請求項１に記載した構成によれば、第二の把持部をすくい部の表側に配置する（図１〜図３）以外に、レバー１１を柄４を挟んで延長し、すくい部の裏側に配置することもできる（図示せず）。
第二の把持部をすくい部の裏側に配置すると、第二の把持部を操作する際にすくい部の先端の動きを見やすくすることができる。
【００１９】
請求項２に記載した考案は、図１〜図３に示したレバー配置において、すくい部を延ばした時に自動的に回動がロックされる構造である。
すなわち、図３においてレバー１１の一端を固定部品１０に軸着し、前記レバーの他端に第二の把持部１３を設け、前記第二の把持部をすくい部側に回動させた時、すくい部２が柄４の延長方向に回動し、前記レバー１１の一部が前記固定部品１０又は柄部４に設けたストッパー１５に当接することにより回動が停止し、前記レバー１１が前記ストッパー１５に当接した状態において前記固定片３と前記連結桿６の回動軸７の中心と前記回動軸１４の中心とを結んだ直線の延長線２０が、前記回動軸１２の中心を通るか、又は回動軸１２の中心より前記柄４に近い側を通るようにした。
【００２０】
こうすることにより、すくい面を延ばした状態で土を突く際、連結桿６を上方に押す力はレバー１１を図３で右回転させる力にはならず、軸１２を押す力になるか又はレバー１１をストッパー１５に押し付ける力になるので、第二の把持部を持たなくても良い。
尚、レバー１１には支点距離変更用穴１６が設けてあり、連結軸１４の位置を変更することによりすくい部２の回動角度を変更できるようになっている。
【００２１】
請求項３に記載した考案は、第一の把持部と第二の把持部を片手で掴めるようにすることにより作業性を著しく改善した内容である。
すなわち、第二の把持部１３を第一の把持部９側に回動させた時に、前記第二の把持部１３が前記第一の把持部９に当接することによりレバー１１の回動が停止し、かつ作業者の片手で同時に第一の把持部９と第二の把持部１３を掴むことができる位置関係にした。
こうすることにより、スコップの全長が１５０ｃｍ程度の標準的な長さの場合、例えば右利きの作業者であれば、右手を常に第一の把持部に置いたままで、穴の底を突く作業（右手で第一の把持部を持つ）と、土をすくって持ち上げる作業（右手で両方の把持部を持つ）と、土を放擲する作業（放擲動作の途中で右手で持っていた第二の把持部だけを放す）を行えるので、一連の作業をスムーズに行うことができる。
尚、スコップの全長を更に長くする場合には、第一の把持部から手を放さずにスコップを持ち上げるのが困難になるので、第一の把持部と第二の把持部を重ねたまま保持する機構を追加することが望ましい。
【００２２】
また、図２に示したように第一の把持部と第二の把持部を当接させた状態において、回動軸７の中心と回動軸１４の中心を結んだ直線は、回動軸１２の中心に比較的近い。従って、この状態ですくい部２を延ばす方向に力が加わっても、レバー１１を回転させるモーメントは比較的小さいので容易に第二の把持部を保持することができる。
この特性を利用すると、すくい部の先端を土に打ち込んでから第二の把持部を引き上げるには抵抗が大きすぎる場合は、スコップ全体を前方に倒してすくい部を曲げ、第二の把持部を第一の把持部に近づけてから第二の把持部を保持し、スコップ全体を起こせば比較的容易に土を起こすことができる。
【符号の説明】
【００２３】
１      本考案によるスコップ
２      すくい部
３      固定片
４      柄
５      柄の下端とすくい部の連結軸
６      連結桿
７      連結桿と固定片の連結軸
８      長さ調節ボルト
８ａ    ロックナット
９      第一の把持部
１０    固定部品
１１    レバー
１２    固定部品とレバーの連結軸
１３    第二の把持部
１４    レバーと連結桿の連結軸
１５    ストッパー
１６    支点距離変更用穴
２０    軸７の中心と軸１４の中心を延長した直線
Ａ    第二の把持部１３と連結軸１２の中心までの距離
Ｂ    連結軸１４の中心と連結軸１２の中心までの距離
Ｃ    連結軸５の中心とすくい部２の先端までの距離
Ｄ    連結軸５の中心と連結軸７の中心までの距離
【図１】
0003154818.tif 000003
【図２】
0003154818.tif 000004
【図３】
0003154818.tif 000005
【手続補正書】
【提出日】平成21年8月18日(2009.8.18)
【手続補正１】
【補正対象書類名】実用新案登録請求の範囲
【補正対象項目名】全文
【補正方法】変更
【補正の内容】
【実用新案登録請求の範囲】
【請求項１】
柄（４）の下端部に該柄に直角な軸回りに回動可能に軸着されたすくい部（２）と、該すくい部の表側に固定された固定片（３）と該固定片に回動可能に軸着された連結桿（６）と、前記柄の上端部に設けた第一の把持部（９）と、前記第一の把持部の下方に固定した固定部品（１０）と、該固定部品に連結軸（１２）を介して軸着されたレバー（１１）と、該レバーの一端に設けた第二の把持部（１３）と、該レバー（１１）に前記連結桿（６）の上端を連結軸（１４）を介して軸着したスコップ（１）において、前記第二の把持部（１３）の中心から前記連結軸（１２）の中心までの距離Ａが前記連結軸（１４）の中心から前記連結軸（１２）の中心までの距離Ｂの３倍以上であることを特徴とするスコップ。
【請求項２】
請求項１に記載したスコップにおいて、前記レバー（１１）の一端が前記固定部品（１０）に軸着されており、前記レバーの他端に第二の把持部（１３）が設けてあり、前記第二の把持部を前記すくい部側に回動させた時、前記すくい部（２）が前記柄（４）の延長方向に回動し、前記レバー（１１）の一部が前記固定部品（１０）又は柄部（４）に設けたストッパー（１５）に当接することにより回動が停止し、前記レバー（１１）が前記ストッパー（１５）に当接した状態において前記固定片（３）と前記連結桿（６）の連結軸（７）の中心と前記連結軸（１４）の中心とを結んだ直線の延長線（２０）が、前記連結軸（１２）の中心を通るか、又は連結軸（１２）の中心より前記柄（４）に近い側を通ることを特徴とする請求項１に記載したスコップ。
【請求項３】
請求項２に記載したスコップにおいて、前記第二の把持部（１３）を前記第一の把持部（９）側に回動させた時に、前記第二の把持部（１３）が前記第一の把持部（９）に当接することにより前記レバー（１１）の回動が停止し、かつ作業者の片手で同時に前記第一の把持部（９）と前記第二の把持部（１３）を掴むことができる位置関係にあることを特徴とする請求項２に記載したスコップ。
【手続補正２】
【補正対象書類名】明細書
【補正対象項目名】０００８
【補正方法】変更
【補正の内容】
【０００８】
上記のスコップにおいて、前記レバー１１の一端が前記固定部品１０に軸着されており、前記レバーの他端が第二の把持部１３になっており、前記第二の把持部を前記すくい部側に回動させた時、前記すくい部２が前記柄部４の延長方向に回動し、前記レバー１１の一部が前記固定部品１０又は柄部４に設けたストッパー１５に当接することにより回動が停止し、前記レバー１１が前記ストッパー１５に当接した状態において前記固定片３と前記連結桿６の連結軸７の中心と前記連結軸１４の中心とを結んだ直線の延長線２０が、前記連結軸１２の中心を通るか、又は連結軸１２の中心より前記柄４に近い側を通ることによりスコップを延ばした状態（すくい部が柄の延長線と平行に近い状態）で突いてもすくい面が回動しないようにした。
【手続補正３】
【補正対象書類名】明細書
【補正対象項目名】００１６
【補正方法】変更
【補正の内容】
【００１６】
すくい部２の連結軸５の中心からすくい部の先端までの長さＣに対して、連結軸５の中心から連結軸７の中心までの長さＤは、１／４程度が好ましい。
１／４より大きいと、固定片３がすくい部の中央近くに来て邪魔になり、かつ連結桿の必要ストロークが大きくなって好ましくない。
１／４より小さいと、すくい部の先端に作用する力に逆らって連結桿を引き上げる際に、連結桿をより大きな力で引く必要が生じ、固定片３の取付け強度や軸７、１２、１４の摩耗が問題になる。
【手続補正４】
【補正対象書類名】明細書
【補正対象項目名】００１９
【補正方法】変更
【補正の内容】
【００１９】
請求項２に記載した考案は、図１〜図３に示したレバー配置において、すくい部を延ばした時に自動的に回動がロックされる構造である。
すなわち、図３においてレバー１１の一端を固定部品１０に軸着し、前記レバーの他端に第二の把持部１３を設け、前記第二の把持部をすくい部側に回動させた時、すくい部２が柄４の延長方向に回動し、前記レバー１１の一部が前記固定部品１０又は柄部４に設けたストッパー１５に当接することにより回動が停止し、前記レバー１１が前記ストッパー１５に当接した状態において前記固定片３と前記連結桿６の連結軸７の中心と前記連結軸１４の中心とを結んだ直線の延長線２０が、前記連結軸１２の中心を通るか、又は連結軸１２の中心より前記柄４に近い側を通るようにした。
【手続補正５】
【補正対象書類名】明細書
【補正対象項目名】００２２
【補正方法】変更
【補正の内容】
【００２２】
また、図２に示したように第一の把持部と第二の把持部を当接させた状態において、連結軸７の中心と連結軸１４の中心を結んだ直線は、連結軸１２の中心に比較的近い。従って、この状態ですくい部２を延ばす方向に力が加わっても、レバー１１を回転させるモーメントは比較的小さいので容易に第二の把持部を保持することができる。
この特性を利用すると、すくい部の先端を土に打ち込んでから第二の把持部を引き上げるには抵抗が大きすぎる場合は、スコップ全体を前方に倒してすくい部を曲げ、第二の把持部を第一の把持部に近づけてから第二の把持部を保持し、スコップ全体を起こせば比較的容易に土を起こすことができる。